(57)【要約】【課題】効率良く良好な仕上がりを得ることができるとともに、肌へのダメージを低減することができる電気かみそりを提供する。【解決手段】電気かみそりは、把持部と把持部の上端部に設けられたヘッド部１３とを備える。ヘッド部１３の上端には体毛を導入可能な外刃２０がヘッド部１３の前後方向Ｘに沿って複数並設されるとともにそれぞればねＢにて上方に付勢された状態で下動可能に設けられ、外刃２０の内部側にはそれぞれヘッド部１３の幅方向に沿って往復駆動可能で外刃２０内に導入された体毛を挟んで切除するための内刃が設けられる。外刃２０は、前後方向Ｘに沿ったスリットを有するスリット刃２４，２５と、網目状のネット刃２１〜２３とを含み、それらが前後方向Ｘに沿って５つ並設されるとともに、それぞれが前後方向Ｘに隣り合う外刃２０の下動に連動して下動するように設けられる。【選択図】図２
2011067347.tif 000002
【特許請求の範囲】
【請求項１】
把持部と該把持部の上端部に設けられたヘッド部とを備え、
前記ヘッド部の上端には体毛を導入可能な外刃が自身の短手方向であって前記ヘッド部の前後方向に沿って複数並設されるとともにそれぞれ上方に付勢された状態で下動可能に設けられ、前記外刃の内部側にはそれぞれ前記外刃の長手方向であって前記ヘッド部の幅方向に沿って往復駆動可能で前記外刃内に導入された体毛を挟んで切除するための内刃が設けられた電気かみそりであって、
前記外刃は、前記短手方向に沿ったスリットを有するスリット刃と、網目状のネット刃とを含み、それらが前記前後方向に沿って５つ以上並設されるとともに、それぞれが前記前後方向に隣り合う前記外刃の下動に連動して下動するように設けられたことを特徴とする電気かみそり。
【請求項２】
請求項１に記載の電気かみそりにおいて、
前記ヘッド部１３の前記前後方向の両端には、それぞれ前記ネット刃が配置されたことを特徴とする電気かみそり。
【請求項３】
請求項２に記載の電気かみそりにおいて、
前記外刃は、前記前後方向に沿って５つ並設され、前記前後方向の中心には、前記ネット刃が配置され、前記前後方向の両端と中心との各間には、前記スリット刃が配置されたことを特徴とする電気かみそり。
【請求項４】
請求項３に記載の電気かみそりにおいて、
前記前後方向の中心の前記ネット刃は、網目を構成する多数の枠状の外刃部の厚さが部分的に薄く形成された仕上げ用のネット刃であることを特徴とする電気かみそり。
【請求項５】
請求項１乃至４のいずれか１項に記載の電気かみそりにおいて、
前記前後方向に隣り合う前記外刃同士は、上下方向に隙間を有して遊嵌される係合凹部と係合凸部とによって連結されることで連動することを特徴とする電気かみそり。
【発明の詳細な説明】
【技術分野】
【０００１】
本発明は、髭等の体毛を剃るための電気かみそりに関するものである。
【背景技術】
【０００２】
電気かみそりとしては、ヘッド部の上端に体毛を導入可能な外刃がヘッド部の前後方向に沿って複数並設されるとともにそれぞれ上方に付勢された状態で下動可能に設けられ、前記外刃の内部側にそれぞれヘッド部の幅方向に沿って往復駆動可能で外刃内に導入された体毛を挟んで切除するための内刃が設けられたものがある。そして、このような電気かみそりとしては、外刃として、長毛が剃りやすいように前記短手方向に沿ったスリットを有するスリット刃と、短毛が剃りやすいように網目状とされたネット刃とが前記前後方向に沿って４つ並設されたものがある（例えば、特許文献１参照）。
【０００３】
このような電気かみそりでは、例えば、対象となる肌上を前記前後方向に沿って移動（摺動）させたときに、４つの外刃（スリット刃及びネット刃）と内刃によって順に髭が剃られることで、効率良く（少ない往復動作で）、そり残しの少ない良好な仕上がりを得ることができる。
【先行技術文献】
【特許文献】
【０００４】
【特許文献１】特開２００５−４０３５８号公報
【発明の概要】
【発明が解決しようとする課題】
【０００５】
しかしながら、上記のような電気かみそりにおいては、更に効率良く（少ない往復動作で）良好な仕上がりを得たいという要望があるとともに、肌へのダメージを低減したいという要望がある。
【０００６】
本発明は、上記課題を解決するためになされたものであって、その目的は、効率良く良好な仕上がりを得ることができるとともに、肌へのダメージを低減することができる電気かみそりを提供することにある。
【課題を解決するための手段】
【０００７】
上記課題を解決するために、請求項１に記載の発明では、把持部と該把持部の上端部に設けられたヘッド部とを備え、前記ヘッド部の上端には体毛を導入可能な外刃が自身の短手方向であって前記ヘッド部の前後方向に沿って複数並設されるとともにそれぞれ上方に付勢された状態で下動可能に設けられ、前記外刃の内部側にはそれぞれ前記外刃の長手方向であって前記ヘッド部の幅方向に沿って往復駆動可能で前記外刃内に導入された体毛を挟んで切除するための内刃が設けられた電気かみそりであって、前記外刃は、前記短手方向に沿ったスリットを有するスリット刃と、網目状のネット刃とを含み、それらが前記前後方向に沿って５つ以上並設されるとともに、それぞれが前記前後方向に隣り合う前記外刃の下動に連動して下動するように設けられたことを要旨とする。
【０００８】
同構成によれば、外刃（スリット刃やネット刃）は、ヘッド部の前後方向に沿って５つ以上並設されるため、４つのもの等に比べて、更に効率良く（少ない往復動作で）良好な仕上がりを得ることができる。又、外刃は、それぞれが前後方向に隣り合う外刃の下動に連動して下動するため、ヘッド部の幅方向（側方）から見て、自動的に各外刃の上端を結ぶ線がなだらかな形状となり、肌へのダメージを低減することができる。
【０００９】
請求項２に記載の発明では、請求項１に記載の電気かみそりにおいて、前記ヘッド部１３の前記前後方向の両端には、それぞれ前記ネット刃が配置されたことを要旨とする。
同構成によれば、比較的肌にダメージを与え難いネット刃が前後方向の両端にそれぞれ配置され、その前後方向の内側に、接触面積が小さくなりやすく肌に強い押圧力で局部的に接触してダメージを与えやすいスリット刃が配置されることになる。そして、例えば、ヘッド部の前後方向の端から肌上に当接させて移動（摺動）させていく場合等、前後方向の端のネット刃が大きく下動されても、肌にダメージを与えやすいスリット刃も連動して下動しスリット刃のみが大きく上方に突出して露出することが抑えられるため、スリット刃が単独で肌に強い押圧力で接触することが低減され、肌へのダメージを低減することができる。
【００１０】
請求項３に記載の発明では、請求項２に記載の電気かみそりにおいて、前記外刃は、前記前後方向に沿って５つ並設され、前記前後方向の中心には、前記ネット刃が配置され、前記前後方向の両端と中心との各間には、前記スリット刃が配置されたことを要旨とする。
【００１１】
同構成によれば、請求項２に記載の発明の効果に加えて、スリット刃が前後方向にバランス良く配置されるため、５つの外刃によって、効率良く（少ない往復動作で）より良好な仕上がりを得ることができる。
【００１２】
請求項４に記載の発明では、請求項３に記載の電気かみそりにおいて、前記前後方向の中心の前記ネット刃は、網目を構成する多数の枠状の外刃部の厚さが部分的に薄く形成された仕上げ用のネット刃であることを要旨とする。
【００１３】
同構成によれば、ヘッド部の前後方向の端から肌上に当接させて移動（摺動）させていく場合等、まず前後方向の端の外刃にて体毛が略剃られた後に、仕上げ用のネット刃にて短いくせ髭等の剃り残しが剃られることになるため、耐久性の劣る構成となりやすい仕上げ用のネット刃を有効に使用して、全体の耐久性を向上させることができる。言い換えると、例えば、仕上げ用のネット刃が前後方向の端に配置された構成では、耐久性の劣る構成となりやすい仕上げ用のネット刃が体毛を切除する割合が増えて、全体の耐久性が大幅に低くなる虞があるが、これを避けて耐久性を向上させることができる。
【００１４】
請求項５に記載の発明では、請求項１乃至４のいずれか１項に記載の電気かみそりにおいて、前記前後方向に隣り合う前記外刃同士は、上下方向に隙間を有して遊嵌される係合凹部と係合凸部とによって連結されることで連動することを要旨とする。
【００１５】
同構成によれば、簡単な構成で具体的に連動させる構成を得ることができる。
【発明の効果】
【００１６】
本発明によれば、効率良く良好な仕上がりを得ることができるとともに、肌へのダメージを低減することができる電気かみそりを提供することができる。
【図面の簡単な説明】
【００１７】
【図１】本実施形態における電気かみそりの模式斜視図。
【図２】本実施の形態におけるヘッド部の模式側面図。
【図３】本実施の形態におけるヘッド部の使用状態を示す模式側面図。
【図４】本実施の形態におけるヘッド部の使用状態を示す模式側面図。
【発明を実施するための形態】
【００１８】
以下、本発明を具体化した一実施の形態を図１〜図４に従って説明する。
図１に示すように、本実施の形態の髭用の電気かみそり１１は、使用者が把持可能な把持部１２と、該把持部１２の上端部に設けられたヘッド部１３とを備える。本実施の形態のヘッド部１３は、把持部１２に対して、例えば、前後方向Ｘ（剃り方向）に沿う軸（Ｘ軸）を中心とする左右傾動動作と、幅方向Ｙ（剃り方向の直交方向）に沿う軸（Ｙ軸）を中心とする前後傾動動作と、上下（高さ）方向Ｚへの往復動作（振動）の各動作をすることが可能となるように設けられている。尚、電気かみそり１１の前後方向Ｘ、幅方向Ｙ、及び上下（高さ）方向Ｚは、それぞれ互いに直交する方向である。
【００１９】
ヘッド部１３の上端、詳しくはヘッドケース１３ａの上端開口部には、体毛を導入可能な外刃２０が自身の短手方向であってヘッド部１３の前後方向Ｘに沿って複数並設されるとともにそれぞれ上方に付勢された状態で下動可能に設けられている。又、ヘッド部１３において、各外刃２０の内部側にはそれぞれ外刃２０の長手方向であって前記ヘッド部１３の幅方向Ｙに沿って往復駆動可能で外刃２０内に導入された体毛を挟んで切除するための内刃３０が設けられている。尚、外刃２０は、図示しない樹脂支持枠に固定されて該樹脂支持枠と共に外刃ブロックを構成し、その外刃ブロック全体がヘッドケース１３ａに対して所定の範囲で上下動可能に支持されるとともにばねＢ（図２参照）にて上方に付勢されることで、上方からの圧力にて下動可能に設けられている。又、内刃３０は、図示しない樹脂支持枠に固定されて該樹脂支持枠と共に内刃ブロックを構成し、その樹脂支持枠が前記幅方向Ｙに沿って往復駆動可能な図示しない駆動軸に連結されて設けられている。又、この駆動軸は、例えば、ヘッド部１３の内部、又は、把持部１２の内部に設けられた駆動源（モータ）にて駆動可能とされている。
【００２０】
ここで、本実施の形態の外刃２０は、前記前後方向Ｘに沿って５つ並設され、所謂５枚刃とされている。そして、５つの外刃２０は、前記前後方向Ｘの両端及び中心に配置されるものが網目状（図示略）のネット刃２１〜２３とされ、前後方向Ｘの両端と中心との各間に配置されるものが自身の短手方向（前後方向Ｘ）に沿ったスリット（図示略）を有するスリット刃２４，２５とされている。又、前記ネット刃２１〜２３は、短毛が剃りやすいように網目状とされたものである。詳しくは、前後方向Ｘの両端の通常のネット刃２１，２２は、網目を構成する多数の枠状の外刃部（一方向に略沿って多数並設される第１外刃部と、該第１外刃部同士を連結すると共に第１外刃部と直交する方向に略沿って多数並設される第２外刃部）の厚さが略一定に設定されている。又、前後方向Ｘの中心の仕上げ用のネット刃２３は、網目を構成する多数の枠状の外刃部（一方向に略沿って多数並設される第１外刃部と、該第１外刃部同士を連結すると共に第１外刃部と直交する方向に略沿って多数並設される第２外刃部）の厚さが部分的に（例えば第２外刃部のみが）薄く形成され、短いくせ髭等においても剃れやすいように形成されている。又、前記スリット刃２４，２５は、長毛が剃りやすいように前後方向Ｘに沿って延びるスリットの長さや幅が設定されている。
【００２１】
そして、外刃２０（ネット刃２１〜２３及びスリット刃２４，２５）を含む外刃ブロックは、図２〜図４に示すように、それぞれが前記前後方向Ｘに隣り合う外刃２０の下動に連動して下動するように設けられている。本実施の形態では、前記前後方向Ｘに隣り合う外刃２０（ネット刃２１〜２３及びスリット刃２４，２５）同士は、上下方向に隙間を有して遊嵌される係合凹部２１ａ〜２３ａと係合凸部２４ａ，２５ａとによって連結されることで連動する。詳しくは、本実施の形態では、各ネット刃２１〜２３又はそれと一体的に設けられる各樹脂支持枠には、前後方向Ｘに凹状の係合凹部２１ａ〜２３ａが形成されている。一方、スリット刃２４，２５又はそれと一体的に設けられる各樹脂支持枠には、前後方向Ｘに凸状で前記係合凹部２１ａ〜２３ａより上下方向の幅が小さい形状の係合凸部２４ａ，２５ａが形成されている。そして、前後方向Ｘに隣り合う外刃２０（ネット刃２１〜２３及びスリット刃２４，２５）同士は、各係合凹部２１ａ〜２３ａに各係合凸部２４ａ，２５ａが上下方向に隙間を有して遊嵌されることで、隣り合う外刃２０の下動に連動して下動するようになっている。
【００２２】
このように構成された電気かみそり１１では、例えば、ヘッド部１３の前後方向Ｘの前端から肌上に当接させて移動（摺動）させていく際に、まず前後方向Ｘの前端のネット刃２１が上方（肌）からの圧力にて大きく下動されると、図３に示すように、スリット刃２４、ネット刃２３及びスリット刃２５がこの順で段差を有しながら連動して下動される。尚、この段差は、係合凹部２１ａ〜２３ａと係合凸部２４ａ，２５ａとの間の上下方向の隙間によって決定され、その隙間は外刃２０の上端を結ぶ線がなだらかな形状（部分的に急激な段差が発生しない形状）となるように設定されている。
【００２３】
又、例えば、ヘッド部１３の前後方向Ｘの中心から顎等の凸状の肌上に当接させて移動（摺動）させていく際に、まず前後方向Ｘの中心のネット刃２３が上方（肌）からの圧力にて大きく下動されると、図４に示すように、ネット刃２３を中心として前後方向Ｘに対称にスリット刃２４，２５とネット刃２２，２３とがこの順で段差を有しながら連動して下動される。
【００２４】
次に、上記実施の形態の特徴的な作用効果を以下に記載する。
（１）外刃２０（ネット刃２１〜２３及びスリット刃２４，２５）は、ヘッド部１３の前後方向Ｘに沿って５つ並設されるため、４つのもの等に比べて、更に効率良く（少ない往復動作で）良好な仕上がりを得ることができる。又、外刃２０（ネット刃２１〜２３及びスリット刃２４，２５）は、それぞれが前後方向Ｘに隣り合う外刃２０の下動に連動して下動するため、ヘッド部１３の幅方向（側方）から見て（図２〜図４参照）、自動的に各外刃２０の上端を結ぶ線がなだらかな形状となり、肌へのダメージを低減することができる。
【００２５】
（２）比較的肌にダメージを与え難いネット刃２１，２２が前後方向Ｘの両端にそれぞれ配置され、その前後方向Ｘの内側に、接触面積が小さくなりやすく肌に強い押圧力で局部的に接触してダメージを与えやすいスリット刃２４，２５が配置されることになる。そして、例えば、ヘッド部１３の前後方向の端から肌上に当接させて移動（摺動）させていく場合等、前後方向Ｘの端のネット刃２１，２２が大きく下動されても、肌にダメージを与えやすいスリット刃２４，２５も連動して下動しスリット刃２４，２５のみが大きく上方に突出して露出することが抑えられるため、スリット刃２４，２５が単独で肌に強い押圧力で接触することが低減され、肌へのダメージを低減することができる。
【００２６】
（３）ネット刃２１〜２３が前後方向Ｘの両端及び中心にそれぞれ配置され、前後方向Ｘの両端と中心との各間にはスリット刃２４，２５が配置される。このようにすると、スリット刃２４，２５が前後方向Ｘにバランス良く配置されるため、５つの外刃２０によって、効率良く（少ない往復動作で）より良好な仕上がりを得ることができる。
【００２７】
（４）前後方向Ｘの中心には、網目を構成する多数の枠状の外刃部（一方向に略沿って多数並設される第１外刃部と、該第１外刃部同士を連結すると共に第１外刃部と直交する方向に略沿って多数並設される第２外刃部）の厚さが部分的に（例えば第２外刃部のみが）薄く形成された仕上げ用のネット刃２３が配置される。このようにすると、ヘッド部１３の前後方向Ｘの端から肌上に当接させて移動（摺動）させていく場合等、まず前後方向Ｘの端の外刃２０（ネット刃２１，２２及びスリット刃２４，２５）にて体毛が略剃られた後に、仕上げ用のネット刃２３にて短いくせ髭等の剃り残しが剃られることになるため、耐久性の劣る構成となりやすい仕上げ用のネット刃２３を有効に使用して、全体の耐久性を向上させることができる。言い換えると、例えば、仕上げ用のネット刃２３が前後方向Ｘの端に配置された構成では、耐久性の劣る構成となりやすい仕上げ用のネット刃２３が体毛を切除する割合が増えて、全体の耐久性が大幅に低くなる虞があるが、これを避けて耐久性を向上させることができる。
【００２８】
（５）前後方向Ｘに隣り合う外刃２０（ネット刃２１〜２３及びスリット刃２４，２５）同士は、上下方向に隙間を有して遊嵌される係合凹部２１ａ〜２３ａと係合凸部２４ａ，２５ａとによって連結されることで連動する。このようにすると、簡単な構成で具体的に連動させる構成を得ることができる。
【００２９】
上記実施の形態は、以下のように変更してもよい。
・上記実施の形態のネット刃２１〜２３、及びスリット刃２４，２５の配置は、どうのように変更してもよいし、少なくとも１つずつのネット刃とスリット刃を含んでいれば、他の種類の外刃を追加して組み合わせて並設してもよい。又、上記実施の形態では、外刃２０は、前後方向Ｘに沿って５つ並設されるとしたが、これに限定されず、６個以上並設したものとしてもよい。
【００３０】
・上記実施の形態では、特に言及していないが、外刃２０（ネット刃２１〜２３、及びスリット刃２４，２５）の上端は、前後方向Ｘから見て、直線状とされたものでもよいし、上方に凸状に湾曲したものとしてもよい。
【００３１】
・上記実施の形態では、特に言及していないが、外刃２０（ネット刃２１〜２３、及びスリット刃２４，２５）は、上方からの圧力にて下動していない初期位置で、同じ高さに設定してもよいし、異なる高さに設定してもよい。例えば、前後方向Ｘの両端の通常のネット刃２１，２２が他の外刃２０（ネット刃２３及びスリット刃２４，２５）よりも僅かに低くなるように設定してもよい。
【００３２】
・上記実施の形態では、前後方向Ｘに隣り合う外刃２０（ネット刃２１〜２３及びスリット刃２４，２５）同士は、上下方向に隙間を有して遊嵌される係合凹部２１ａ〜２３ａと係合凸部２４ａ，２５ａとによって連動するように連結されるとしたが、これに限定されず、同様に連動できれば他の構成に変更してもよい。
【００３３】
・上記実施の形態では、髭用の電気かみそり１１に適用したが、髭以外の体毛の切除を行う電気かみそりに適用してもよい。
【符号の説明】
【００３４】
１２…把持部、１３…ヘッド部、２０…外刃、２１，２２…外刃の１つである通常のネット刃、２３…外刃の１つである仕上げ用のネット刃、２４，２５…外刃の１つであるスリット刃、３０…内刃、２１ａ〜２３ａ…係合凹部、２４ａ，２５ａ…係合凸部、Ｘ…前後方向、Ｙ…幅方向、Ｚ…上下方向。
【図１】
2011067347.tif 000003
【図２】
2011067347.tif 000004
【図３】
2011067347.tif 000005
【図４】
2011067347.tif 000006